(57)【要約】【課題】エレベータ乗りかごの誤検知による無駄な点灯を抑制できる照明装置を提供する。【解決手段】照明装置１０は、光源３０と、非常階段室における人の移動を検知する電波式の人検知センサ１１と、エレベータ昇降路内を移動する乗りかご２４に関する情報を受信する受信機１７と、人検知センサ１１の検知結果と、受信機１７で受信した情報とに基づいて、光源３０の点灯状態を制御する制御部３２と、を備える。【選択図】図２
2018147819.tif 000002
【特許請求の範囲】
【請求項１】
エレベータ昇降路に近接したエリアに設置され、人の移動を検知したことにより点灯状態が制御される照明装置であって、
光源と、
前記エリアにおける人の移動を検知する電波式の人検知センサと、
前記エレベータ昇降路内を移動する乗りかごに関する情報を受信する受信機と、
前記人検知センサの検知結果と、前記受信機で受信した情報とに基づいて、前記光源の点灯状態を制御する制御部と、
を備える、照明装置。
【請求項２】
前記乗りかごが移動中であることを示す情報を前記受信機が受信したとき、前記制御部は、検知感度が鈍化した前記人検知センサの検知結果に基づいて前記光源の点灯状態を制御する、請求項１に記載の照明装置。
【請求項３】
第１気圧センサを更に備え、
前記受信機で受信する情報には、前記乗りかごの現在位置高度に関する気圧情報が含まれ、
前記制御部は、前記第１気圧センサによる検出結果に基づいて取得された前記照明装置の設置位置高度と前記乗りかごの現在位置高度との高度差が所定範囲内であるとき、検知感度が鈍化した前記人検知センサの検知結果に基づいて前記光源の点灯状態を制御する、請求項１又は２に記載の照明装置。
【請求項４】
前記乗りかごに関する情報は前記乗りかごに設けられた第２気圧センサによって検出され、その検出結果である気圧情報または前記乗りかごの現在位置高度の情報が前記乗りかごに設けられた送信機から前記受信機に送信される、請求項１〜３のいずれか一項に記載の照明装置。
【請求項５】
前記乗りかごに関する情報は前記エレベータ昇降路に設置された測距センサによって検出され、その検出結果である前記乗りかごの現在位置高度の情報が前記乗りかごに設けられた前記送信機から前記受信機に送信される、請求項１〜４のいずれか一項に記載の照明装置。
【発明の詳細な説明】
【技術分野】
【０００１】
本開示は、照明装置に関する。
【背景技術】
【０００２】
従来、センサで人を検知したことにより点灯状態が制御される照明装置が知られている。例えば、特許文献１には、階段や踊り場において人の存在をセンサで検知したとき、踊り場の壁面に設置された照明器具を点灯させる構成が記載されている。
【先行技術文献】
【特許文献】
【０００３】
【特許文献１】特開平９−３０４５４８号公報
【発明の概要】
【発明が解決しようとする課題】
【０００４】
ところで、照明装置の点灯状態を制御するための人検知センサとして電波式センサが用いられることがある。電波式センサは、ミリ波センサあるいはマイクロ波センサとも呼ばれる。このような電波式センサは、熱線式の人検知センサに比べて、環境条件（例えば、温度等）の影響を受けにくく、人を精度よく検知することができる。
【０００５】
しかしながら、電波式センサから照射される電波は、金属物体では反射するが、建物の非金属製の壁を透過する。そのため、照明装置が設置されたエリアに近接してエレベータが設置されている場合、電波式センサがエレベータ乗りかごの移動を人の移動と誤検知して照明装置を点灯させることがある。
【０００６】
具体的には、電波式センサを搭載した照明装置が建物内の非常階段の照明灯として用いられる場合、金属製の階段部分で反射した電波がコンクリート、石膏ボード等の壁を透過して、非常階段室に近接するエレベータ昇降路内を移動する乗りかごを検知することがある。この場合、エレベータ乗りかごを人の移動と誤検知して照明装置を点灯させると、無駄な点灯動作が起きることになる。
【０００７】
本開示の目的は、人検知センサによるエレベータ乗りかごの誤検知によって無駄な点灯動作が生じるのを抑制できる照明装置を提供することにある。
【課題を解決するための手段】
【０００８】
本開示に係る照明装置は、エレベータ昇降路に近接したエリアに設置され、人の移動を検知したことにより点灯状態が制御される照明装置であって、光源と、前記エリアにおける人の移動を検知する電波式の人検知センサと、前記エレベータ昇降路内を移動する乗りかごに関する情報を受信する受信部と、前記人検知センサの検知結果と、前記受信部で受信した情報とに基づいて、前記光源の点灯状態を制御する制御部と、を備える。ここで、「点灯状態」には、点灯、消灯、調光が含まれる。
【発明の効果】
【０００９】
本開示に係る照明装置によれば、制御部は、人検知センサの検知結果と、乗りかごに関する情報とに基づいて、光源の点灯状態を制御する。したがって、例えば、乗りかごが移動中である場合や照明装置に近い位置を移動している場合には、人検知センサの検知感度を鈍化させることによって、人検知センサが乗りかごを人と誤検知することを低減できる。その結果、照明装置の無駄な点灯を抑制することができ、センサによる照明省エネ制御を効果的に実行できる。
【図面の簡単な説明】
【００１０】
【図１】第１実施形態の照明装置を示す図である。
【図２】図１に示した照明装置を含む機能ブロック図である。
【図３】図１の照明装置の制御部において実行される処理を示すフローチャートである。
【図４】第２実施形態の照明装置を示す図である。
【図５】図４に示した照明装置を含む機能ブロック図である。
【図６】図４の照明装置の制御部において実行される処理を示すフローチャートである。
【図７】第２実施形態の変形例を示す図である。
【発明を実施するための形態】
【００１１】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１２】
以下の実施形態では、照明装置が非常階段の照明灯として用いられる例について説明するが、これに限定されるものではなく、本開示の照明装置は、建物内の他のエリア（例えば、廊下、室内、ロビー等）に用いられてもよい。
【００１３】
＜第１実施形態＞
図１は、第１実施形態の照明装置１０を示す図である。図１に示すように、照明装置１０は、建物内の非常階段室１２に設置されている。非常階段室１２は、通常、四方が壁によって囲まれた閉空間に形成されている。非常階段室１２は、互いに対向する一対の壁１２ａ，１２ｂと、これらの壁１２ａ，１２ｂと略直交する方向に沿って延在するもう一対の壁（図示せず）によって区画形成される。これらの壁１２ａ，１２ｂ等は、例えば、コンクリート、石膏ボード等で構成される。そのうち１つの壁面１２ａには、非常階段室１２に入るためのドア１３が開閉可能に設けられている。
【００１４】
非常階段室１２には、折り返し階段からなる非常階段１４が設置されている。非常階段１４は、各階の床部１６ａ，１６ｂ，１６ｃ間に設置される一組の階段部２０ａ，２０ｂと踊り場１８とを含む。階段部２０ａ，２０ｂ及び踊り場１８は、例えば、金属材料によって構成される。階段部２０ａは、下層階の床部１６ａ，１６ｂと踊り場１８とを接続する。階段部２０ｂは、踊り場１８と上層階の床部１６ｂ，１６ｃとを接続する。このような構成の非常階段１４が建物内の全階にわたって設置されている。
【００１５】
照明装置１０は、非常階段室１２の壁面１２ａ，１２ｂのうち、踊り場１８に面した壁面１２ｂにそれぞれ設置されている。照明装置１０は、階段部２０ａ，２０ｂとその間の踊り場１８とを照明可能になっている。
【００１６】
照明装置１０は、電波式の人検知センサ１１を備える。人検知センサ１１は、照明装置１０の光出射方向前方に位置する階段部２０ａ，２０ｂと二階分の床部１６ａ，１６ｂ（または１６ｂ，１６ｃ）に向けて例えば２４ＧＨｚ等のマイクロ波を照射する。このマイクロ波の照射領域内で人が移動すると、その人から反射してきた反射波を人検知センサ１１が受信して、照射領域内に人がいることを検知できる。
【００１７】
また、照明装置１０は、受信機１７を備える。受信機１７は、後述するエレベータ乗りかごに設置された位置検出センサによる検出結果を送信機から受信する。この検出結果に基づいて、後述する制御部は、エレベータ乗りかごの移動に関する情報、具体的には乗りかごが移動中であるかを示す情報を取得できる。
【００１８】
照明装置１０が設置される建物には、非常階段室１２に近接してエレベータ昇降路２２が設けられている。エレベータ昇降路２２内には、乗りかご２４が昇降移動可能に設置されている。照明装置１０による光出射方向を前方としたとき、照明装置１０の前方に非常階段１４が設置され、照明装置１０の後方に壁面１２ｂを隔ててエレベータ昇降路２２が設置されている。
【００１９】
乗りかご２４には、位置検出センサ（第２気圧センサ）２５と、送信機２７とが取り付けられている。本実施形態では、位置検出センサ２５は、気圧センサによって好適に構成される。位置検出センサ２５は、乗りかご２４が現在位置している高度（または高さ）での気圧を検出する。送信機２７は、位置検出センサ２５によって検出された気圧情報を照明装置１０に例えばＷｉ−Ｆｉ等の無線で送信する。
【００２０】
図２は、照明装置１０を含む機能ブロック図である。図２に示すように、照明装置１０は、上述した人検知センサ１１及び受信機１７に加えて、光源３０と制御部３２とを備える。光源３０は、ＬＥＤ（Light Emitting Device）によって好適に構成される。ただし、光源３０は、ＬＥＤ以外の光源、例えば蛍光灯等で構成されてもよい。
【００２１】
制御部３２は、光源３０に供給される電力を供給、遮断、又は調整することによって、光源３０の点灯状態を制御する。ここで、光源３０の点灯状態は、点灯、消灯、調光等が含まれる。制御部３２は、電力線を介して光源３０に接続されている。また、制御部３２は、信号線を介して人検知センサ１１及び受信機１７にそれぞれ接続されている。制御部３２には、人検知センサ１１による検知結果、及び、受信機１７によって受信された情報が入力される。
【００２２】
制御部３２は、例えば、ＭＣＵ(Micro Controller Unit)によって好適に構成される。制御部３２は、記憶部３２ａを含む。記憶部３２ａは、制御部３２において実行されるプログラムや、制御部３２における処理に用いられる各種情報を記憶する。具体的には、乗りかご２４の位置検出センサ２５の検出結果である気圧情報から乗りかご２４が現在位置する高度（単位：メートル）を導出するためのマップや計算式等を記憶する。
【００２３】
続いて、図３を参照して、上記構成からなる照明装置１０の動作を説明する。図３は、照明装置１０の制御部３２において実行される処理を示すフローチャートである。制御部３２は、図３に示す処理を所定時間（例えば１秒など）毎に実行する。以下では、人検知センサ１１によって人の移動が検知されない場合は、照明装置１０が消灯状態にあることを前提に説明する。なお、照明装置１０は通常は弱点灯した状態にあり、人検知センサ１１によって人が検知された場合に照明装置１０を強点灯させるように、光源３０を調光してもよい。
【００２４】
図３に示すように、まず、制御部３２は、ステップＳ１０において、乗りかご２４が移動中であるか否かを判定する。ここで肯定判定（ＹＥＳ）されると、制御部３２は、ステップＳ１２に進み、他方、否定判定（ＮＯ）されるとステップ１３に進む。
【００２５】
制御部３２は、乗りかご２４の送信機２７から送信された気圧情報に基づいて乗りかご２４の現在位置高度を記憶部３２ａのマップ参照等によって取得できる。したがって、この乗りかご２４の現在位置高度が先に記憶部３２ａに記憶されている前回位置高度に対して変化しているとき、制御部３２は、乗りかご２４が移動中であると判断できる。
【００２６】
上記ステップＳ１０において肯定判定（ＹＥＳ）された場合、制御部３２は、続くステップＳ１２において、人検知センサ１１の検知感度を鈍化させる。具体的には、人検知センサ１１の検出結果であるアナログ信号に対する判定閾値レベルを上げることによって、検知感度を低下させることができる。これにより、人検知センサ１１は、移動中の乗りかご２４を人と誤検知する事態を低減できる。他方、上記ステップＳ１０で否定判定（ＮＯ）された場合、制御部３２は、続くステップＳ１３において、人検知センサ１１を通常感度とする。この場合、前回処理で人検知センサ１１の感度が鈍化されている場合には、人検知センサ１１の感度が通常感度に戻される。
【００２７】
なお、上記では制御部３２において人検知センサ１１の検知感度を鈍化させる例について説明したが、これに限定されるものではない。例えば、人検知センサ１１は、検知感度が異なる複数の検知モードを有しており、乗りかご２４が移動中であるとの情報を受けた人検知センサ１１自体が検知感度の低い別のモードに移行してもよい。この場合もまた、「検知感度が鈍化した（前記）人検知センサ」に相当する。
【００２８】
次に、制御部３２は、ステップＳ１４において、人検知センサ１１で人の移動を検知したか否かを判定する。この場合の検知感度は、ステップＳ１２による鈍化された感度、または、ステップＳ１３による通常感度となる。ここで肯定判定（ＹＥＳ）されると、制御部３２は、続くステップＳ１６において、光源３０を点灯させるか、或いは、点灯状態を維持する。制御部３２は、この点灯状態を所定時間（例えば１分間等）保持する。この「所定時間」は、予め設定された時間として、記憶部３２ａに記憶されている。
【００２９】
他方、上記ステップＳ１４において否定判定（ＮＯ）されると、制御部３２は、ステップＳ１８において、上記所定時間中でないことを条件に、光源３０を消灯させるか、或いは、消灯状態を維持する。
【００３０】
そして、制御部３２は、ステップＳ１６またはＳ１８の処理を実行した後、図３に示す処理を終了する（エンド処理）。
【００３１】
上述したように本実施形態は、エレベータ昇降路２２に近接した非常階段室１２に設置され、人の移動を検知したことにより点灯状態が変更する照明装置１０である。この照明装置１０は、光源３０と、非常階段室１２おける人の移動を検知する電波式の人検知センサ１１とを備える。また、照明装置１０は、エレベータ昇降路２２内を移動する乗りかご２４に関する情報を受信する受信機１７と、人検知センサ１１の検知結果と、受信機１７で受信した情報とに基づいて、光源３０の点灯状態を制御する制御部３２とを備える。
【００３２】
より具体的には、乗りかご２４が移動中であることを示す情報を受信機１７が受信したとき、制御部３２は、検知感度が鈍化した人検知センサ１１の検知結果に基づいて光源３０の点灯状態を制御する。
【００３３】
この構成によれば、制御部３２は、人検知センサ１１の検知結果と、乗りかご２４に関する情報とに基づいて、光源３０の点灯状態を制御する。したがって、乗りかご２４が移動中である場合に、人検知センサ１１の検知感度を鈍化させることによって、人検知センサ１１が乗りかご２４を人と誤検知することを低減できる。その結果、照明装置１０の無駄な点灯を抑制することができ、センサによる照明省エネ制御を効果的に実行できる。
【００３４】
また、本実施形態では、乗りかご２４に関する情報は乗りかご２４に設けられた位置検出センサ２５である気圧センサによって検出された気圧情報であり、その気圧情報が乗りかご２４に設けられた送信機２７から照明装置１０の受信機１７に送信される。
【００３５】
この構成によれば、制御部３２は、乗りかご２４から送信された気圧情報に基づいて乗りかご２４の現在位置高度を導出し、現在位置高度の変化から乗りかご２４が移動中であるか否かを判定できる。したがって、乗りかご２４が移動中であるか否かを正確に判定することができる。
【００３６】
なお、上記においては、乗りかご２４に位置検出センサ２５として気圧センサを設けて、送信機２７によって気圧情報を照明装置１０に送信する例について説明したが、これに限定されるものではない。乗りかご２４に例えば加速度センサを設け、この加速度センサによって検出された加速度を照明装置に送信してもよい。この場合、制御部３２は、乗りかご２４の加速度に基づいて乗りかご２４の移動速度を導出して、乗りかご２４が移動中であるか否かを判定してもよい。
【００３７】
＜第２実施形態＞
次に、図４〜図６を参照して、第２実施形態の照明装置１０Ａについて説明する。図４は、照明装置１０Ａを示す図である。図５は、照明装置１０Ａを含む機能ブロック図である。以下では、上記第１実施形態と相違する点について主として説明し、同一の構成には同一の符号を付して説明を省略する。
【００３８】
図４及び図５に示すように、照明装置１０Ａは、気圧センサ（第１気圧センサ）１９を更に備える。気圧センサ１９は、照明装置１０Ａが設置されている位置での気圧を検出する。気圧センサ１９による検出結果は、制御部３２に送信される。制御部３２は、この気圧情報に基づいて記憶部３２ａに記憶されたマップ等から、照明装置１０Ａの設置位置高度を取得することができる。照明装置１０Ａの他の構成は、第１実施形態の照明装置１０と同じである。
【００３９】
図６は、照明装置１０Ａの制御部において実行される処理を示すフローチャートである。図６に示すように、まず、制御部３２は、ステップＳ２０において、照明装置１０の設置位置高度を取得する。この設置位置高度は、上述したように、気圧センサ１９によって検出された気圧に基づいて導出される。照明装置１０Ａの設置位置高度は、照明装置１０Ａが一度設置されれば、その後、設置位置が変更されない限り、変わらない。したがって、１回目の処理で導出された照明装置１０Ａの設置位置高度を記憶部３２ａに記憶しておき、２回目以降の処理ではその記憶値を読み出して用いればよい。
【００４０】
次に、制御部３２は、ステップＳ２２において、乗りかご２４の現在位置高度を取得する。この現在位置高度は、乗りかご２４の送信機２７から送信された気圧情報に基づいて記憶部３２ａのマップを参照する等によって取得できる。
【００４１】
続いて、制御部３２は、続くステップＳ２４において、照明装置１０Ａとエレベータ乗りかご２４との高度差が所定範囲内か否かを判定する。ここで、「所定範囲」とは、移動する乗りかご２４が照明装置１０Ａの人検知センサ１１によって誤検知される可能性が高い高度範囲であり、例えば±３メートルに予め設定されて記憶部３２ａに記憶されている。
【００４２】
制御部３２は、上記ステップＳ２４において肯定判定（ＹＥＳ）された場合、すなわち、照明装置１０Ａとエレベータ乗りかご２４との高度差が所定範囲内である場合、続くステップＳ１２において、人検知センサ１１の検知感度を鈍化させる。他方、上記ステップＳ２４で否定判定（ＮＯ）された場合、制御部３２は、続くステップＳ１３において、人検知センサ１１を通常感度とする。この場合、前回処理で人検知センサ１１の感度が鈍化されている場合には、人検知センサ１１の感度が通常感度に戻される。これ以降のステップＳ１４，Ｓ１６，Ｓ１８は、上述した第１実施形態の場合と同様である。
【００４３】
上述したように本実施形態の照明装置１０Ａは、気圧センサ１９を更に備え、受信機１７で受信する情報には、乗りかご２４の現在位置高度に関する情報である気圧情報が含まれる。制御部３２は、気圧センサ１９による検出結果に基づいて取得された照明装置１０Ａの設置位置高度と乗りかご２４の現在位置高度との高度差が所定範囲内であるとき、検知感度が鈍化した人検知センサ１１の検知結果に基づいて光源３０の点灯状態を制御する。
【００４４】
この構成によれば、乗りかご２４が照明装置１０Ａの近くを移動しているときに、人検知センサ１１の検知感度を鈍化させることで、人検知センサ１１による乗りかご２４の誤検知をより確実に低減できる。したがって、照明装置１０Ａの無駄な点灯をより効果的に抑制できる。
【００４５】
次に、図７を参照して、第２実施形態の照明装置１０Ａの変形例について説明する。この変形例では、照明装置１０Ａの構成は同じであり、乗りかご２４の現在位置高度を計測するセンサだけが相違する。
【００４６】
図７に示すように、乗りかご２４に関する情報はエレベータ昇降路２２の底部２３に設置された測距センサ２９によって検出され、その検出結果である乗りかご２４の現在位置高度の情報が、同じく底部２３に設けられた送信機２７から照明装置１０Ａの受信機１７に送信される。なお、測距センサ２９及び送信機２７は、エレベータ昇降路２２の天井部に設置されてもよい。
【００４７】
測距センサ２９には、例えば、乗りかご２４に向けてレーザ光を出射する投光部と、乗りかご２４から反射した光を受光する受光部とを含むレーザ式の測距センサを好適に用いることができる。
【００４８】
この構成によれば、測距センサ２９によって乗りかご２４の現在位置高度が計測された送信機２７によって照明装置１０Ａに送信される。照明装置１０Ａは上述した第２実施形態の構成と同じである。制御部３２は、測距センサ２９によって計測された乗りかご２４の現在位置高度と、照明装置１０Ａの設置位置高度との高低差に基づいて、人検知センサ１１の感度鈍化を実行する。この構成によっても、第２実施形態と同様の作用効果を奏することができる。
【００４９】
なお、本開示に係る照明装置は、上述した実施形態およびその変形例に限定されるものではなく、種々の変更や改良が可能である。
【００５０】
例えば、上記第１実施形態では、乗りかご２４に設置した位置検出センサ２５として気圧センサを用いる例について説明したが、これに限定されるものではなく、第２実施形態と同様に測距センサを用いて乗りかごが移動中であるか否かを検出してもよい。
【符号の説明】
【００５１】
１０，１０Ａ  照明装置、１２  非常階段室（エリア）、１１  人検知センサ、１２ａ，１２ｂ  壁または壁面、１３  ドア、１４  非常階段、１６ａ，１６ｂ，１６ｃ  各階の床部、１７  受信機、１８  踊り場、１９  気圧センサ（第１気圧センサ）、２０ａ，２０ｂ  階段部、２２  エレベータ昇降路、２３  底部、２４  乗りかご、２５  位置検出センサ（第２気圧センサ）、２７  送信機、２９  測距センサ、３０  光源、３２  制御部、３２ａ  記憶部。
【図１】
2018147819.tif 000003
【図２】
2018147819.tif 000004
【図３】
2018147819.tif 000005
【図４】
2018147819.tif 000006
【図５】
2018147819.tif 000007
【図６】
2018147819.tif 000008
【図７】
2018147819.tif 000009